(57)【要約】【課題】辞書コンテンツに含まれるデータを特定するためのデータを、他の機器でも利用可能とする。【解決手段】ディスクには、第１電子機器にて実行可能な、コンテンツを再生するための第１アプリと、第２電子機器にて実行可能な、コンテンツを再生するための第２アプリと、第１電子機器および第２電子機器のうち少なくともいずれかの電子機器によって生成された、コンテンツに含まれるデータを特定するための特定データと、特定データを生成した電子機器のユーザを識別するユーザ識別データとが対応付けられたユーザ辞書データとが記録されており、第１電子機器を用いてコンテンツを再生する場合には第１アプリが実行される一方、第２電子機器を用いてコンテンツを再生する場合には第２アプリが実行され、ユーザ辞書データは、第１アプリおよび第２アプリのうち、いずれのアプリでも扱うことができるファイルフォーマットで記録されている。【選択図】図２
2010033677.tif 000002
【特許請求の範囲】
【請求項１】
電子化された辞書をコンテンツとして記録した記録媒体であって、
第１機器識別データを記憶した第１電子機器にて実行可能な、前記コンテンツを再生するための第１アプリケーションソフトウェアを記録した第１記録領域と、
第２機器識別データを記憶した第２電子機器にて実行可能な、前記コンテンツを再生するための第２アプリケーションソフトウェアを記録した第２記録領域と、
前記第１電子機器および前記第２電子機器のうち少なくともいずれかの電子機器によって生成された、前記コンテンツに含まれるデータを特定するための特定データと、前記特定データを生成した電子機器のユーザを識別する第１ユーザ識別データとが対応付けられた第１ユーザ辞書データを記録した第３記録領域と、を備えており、
前記第１電子機器を用いて前記コンテンツを再生する場合には、前記第１アプリケーションソフトウェアが前記第１電子機器にて実行される一方、前記第２電子機器を用いて前記コンテンツを再生する場合には、前記第２アプリケーションソフトが前記第２電子機器にて実行され、
前記第１ユーザ辞書データは、前記第１アプリケーションソフトウェアおよび前記第２アプリケーションソフトウェアのうち、いずれのアプリケーションソフトウェアでも扱うことができるファイルフォーマットで記録されている、記録媒体。
【請求項２】
異なる種別の電子化された辞書を各コンテンツとして記録しており、
前記第１ユーザ辞書データでは、少なくとも前記コンテンツ毎に、コンテンツの種別と前記特定データと前記第１ユーザ識別データとが対応付けられている、請求項１に記載の記録媒体。
【請求項３】
前記辞書と同種の辞書がコンテンツとして記録された記録媒体であって、かつ、前記第１アプリケーションソフトウェアまたは前記第２アプリケーションソフトウェアを実行可能な第３電子機器によって生成された、前記コンテンツに含まれるデータを特定するための特定データと、前記特定データを生成した前記第３電子機器のユーザを識別する第２ユーザ識別データとが対応付けられている第２ユーザ辞書データであるとともに、前記第１アプリケーションソフトウェアおよび前記第２アプリケーションソフトウェアのうち、いずれのアプリケーションソフトでも扱うことができるファイルフォーマットで記録されている第２ユーザ辞書データが記録された記録媒体を、他の記録媒体とすると、
前記第１電子機器および前記第２電子機器のうち少なくともいずれかの電子機器が、前記他の記録媒体から前記第２ユーザ辞書データを読み出して、当該読み出した第２ユーザ辞書データを自機器の記憶装置に記憶させた後に、当該電子機器において自媒体へのアクセスを実行すべく自媒体が配置された状態となっている場合には、前記第２ユーザ辞書データの書き込みを受け付ける、請求項２に記載の記録媒体。
【請求項４】
前記他の記録媒体は、異なる種別の電子化された辞書を各コンテンツとして記録し、さらに、前記第２ユーザ辞書データは、少なくとも前記コンテンツ毎に、コンテンツの種別と前記特定データと前記第２ユーザ識別データとが対応付けられており、
前記第２ユーザ辞書データのうち、自媒体において利用が許可されたコンテンツと同一のコンテンツに関するデータの書き込みを受け付ける、請求項３に記載の記録媒体。
【請求項５】
前記特定データは、前記辞書におけるしおり機能を実行する際に用いるしおりデータであって、
前記第１電子機器、前記第２電子機器、前記第３電子機器、および他の電子機器のうち少なくともいずれかの電子機器にて、前記しおりデータに基づくしおりを表示する場合には、前記第１ユーザ識別データに対応付けられたしおりデータに基づくしおりなのか、あるいは前記第２ユーザ識別データに対応付けられたしおりデータに基づくしおりであるのかを区別した表示を当該電子機器に実行させる、請求項３または４に記載の記録媒体。
【請求項６】
ＲＡＭ層とＲＯＭ層とを含み、
前記第１ユーザ辞書データは、前記ＲＡＭ層に記録され、
前記コンテンツは、前記ＲＯＭ層に記録され、
前記第１アプリケーションソフトウェアは、前記ＲＡＭ層または前記ＲＯＭ層に記録され、
前記第２アプリケーションソフトウェアは、前記ＲＡＭ層または前記ＲＯＭ層に記録されている、請求項１から５のいずれか１項に記載の記録媒体。
【請求項７】
異なる種別のコンテンツをデジタルデータとして記録した記録媒体であって、
少なくとも１以上の種別のコンテンツが含まれた記録領域を複数含み、
自媒体にアクセス可能な第１電子機器がアクセス可能な記録領域を示す領域情報が、電子機器の機器識別データに対応付けて記録されており、
さらに、前記コンテンツとして電子化された辞書を含み、
前記辞書のコンテンツが記録された記録領域にアクセスを許可された前記第１電子機器によって生成された、前記コンテンツに含まれるデータを特定するための特定データと、前記特定データを生成した前記第１電子機器を利用した第１ユーザを識別する第１ユーザ識別データとが対応付けられた第１ユーザ辞書データが、前記コンテンツが記録された記録領域とは異なる記録領域に記録され、
前記第１電子機器が自媒体にアクセスする場合には、前記機器識別データと前記領域情報とに基づいて、アクセスを許可する記録領域を制限し、
前記第１ユーザ辞書データは、少なくとも、前記辞書のコンテンツが記録された記録領域にアクセスを許可された第２電子機器でも扱うことができるファイルフォーマットで記録されている、記録媒体。
【請求項８】
異なる種別の電子化された辞書を各コンテンツとして記録しており、
前記第１ユーザ辞書データでは、少なくとも前記コンテンツ毎に、コンテンツの種別と前記特定データと前記第１ユーザ識別データとが対応付けられている、請求項７に記載の記録媒体。
【請求項９】
前記辞書と同種の辞書がコンテンツとして記録された記録媒体であって、かつ、前記第２電子機器によって生成された、前記コンテンツに含まれるデータを特定するための特定データと、前記特定データを生成した前記第２電子機器を利用した第２ユーザを識別する第２ユーザ識別データとが対応付けられている第２ユーザ辞書データであるとともに、前記第１電子機器でも扱うことができるファイルフォーマットで記録されている第２ユーザ辞書データが記録された記録媒体を、他の記録媒体とすると、
前記第１電子機器が、前記他の記録媒体から前記第２ユーザ辞書データを読み出して、当該読み出した第２ユーザ辞書データを前記第１電子機器の記憶装置に記憶させた後に、当該第１電子機器にて自媒体がアクセス可能な状態となっている場合には、前記第２ユーザ辞書データの書き込みを受け付ける、請求項８に記載の記録媒体。
【請求項１０】
前記他の記録媒体は、異なる種別の電子化された辞書を各コンテンツとして記録し、さらに、前記第２ユーザ辞書データは、少なくとも前記辞書のコンテンツ毎に、コンテンツの種別と前記特定データと前記第２ユーザ識別データとが対応付けられており、
前記第２ユーザ辞書データのうち、自媒体において利用が許可されたコンテンツと同一のコンテンツに関するデータの書き込みを受け付ける、請求項９に記載の記録媒体。
【請求項１１】
前記特定データは、前記辞書におけるしおり機能を実行する際に用いるしおりデータであって、
前記第１電子機器または前記第２電子機器にて、前記しおりデータに基づくしおりを表示する場合には、前記第１ユーザ識別データに対応付けられたしおりデータに基づくしおりなのか、あるいは前記第２ユーザ識別データに対応付けられたしおりデータに基づくしおりであるのかを区別した表示を当該電子機器に実行させる、請求項９または１０に記載の記録媒体。
【請求項１２】
ＲＡＭ層とＲＯＭ層とを含み、
前記ＲＡＭ層には、少なくとも前記第１ユーザ辞書データが記録され、
前記ＲＯＭ層には、前記各コンテンツが記録されている、請求項７から１１のいずれか１項に記載の記録媒体。
【請求項１３】
電子化された辞書のコンテンツが記録された記録媒体への電子機器によるデータ記録方法であって、
前記電子機器から、前記電子機器を識別するための機器識別データと、前記電子機器の利用者を識別するための第１ユーザ識別データとを読み出すデータ読出ステップと、
前記読み出した機器識別データに基づいて、前記コンテンツを再生するための前記記録媒体に記録された複数のアプリケーションソフトのなかから、前記電子機器で実行可能なアプリケーションソフトウェアを特定する特定ステップと、
前記特定したアプリケーションソフトを起動する起動ステップと、
前記起動したアプリケーションソフトを用いて前記コンテンツを再生している際に、前記コンテンツに含まれるデータに基づく表示がなされるとともに当該データを登録するための指示を受け付けた場合、前記データを特定するための特定データ生成する生成ステップと、
前記生成した特定データを前記第１ユーザ識別データと対応付けて、前記記録媒体へ記録する記録ステップとを含む、データ記録方法。
【請求項１４】
電子化された辞書のコンテンツが記録された記録媒体への電子機器によるデータ記録方法であって、
前記電子機器から、前記電子機器を識別するための機器識別データと、前記電子機器の利用者を識別するための第１ユーザ識別データとを読み出すデータ読出ステップと、
前記記録媒体が、前記辞書のコンテンツ以外の種別のコンテンツをデジタルデータとして記録するとともに、少なくとも１以上の種別のコンテンツが含まれた記録領域を複数含んでいる場合、前記読み出した機器識別データに基づいて、前記複数の記録領域のうちアクセスが可能な記録領域を選択する選択ステップと、
前記選択した記録領域に含まれるコンテンツを再生する再生ステップと、
前記辞書のコンテンツの再生を行っている際に、前記コンテンツに含まれるデータに基づく表示がなされるとともに当該データを登録するための指示を受け付けた場合、前記データを特定するための特定データ生成する生成ステップと、
前記生成した特定データを前記第１ユーザ識別データと対応付けて、前記記録媒体へ記録する記録ステップとを含む、データ記録方法。
【請求項１５】
前記指示は、辞書の見出しをしおりとして登録するための指示である、請求項１３または１４に記載のデータ記録方法。
【請求項１６】
記録媒体に記録されたコンテンツの再生を実行するためのコンテンツ再生方法であって、
前記記録媒体は、
電子化された辞書をコンテンツとして記録した記録媒体であって、
第１機器識別データを記憶した第１電子機器にて実行可能な、前記コンテンツを再生するための第１アプリケーションソフトウェアを記録した第１記録領域と、
第２機器識別データを記憶した第２電子機器にて実行可能な、前記コンテンツを再生するための第２アプリケーションソフトウェアを記録した第２記録領域と、
前記第１電子機器および前記第２電子機器のうち少なくともいずれかの電子機器によって生成された、前記コンテンツに含まれるデータを特定するための特定データと、前記特定データを生成した電子機器のユーザを識別する第１ユーザ識別データとが対応付けられた第１ユーザ辞書データを記録した第３記録領域と、を備えており、
前記第１ユーザ辞書データは、前記第１アプリケーションソフトウェアおよび前記第２アプリケーションソフトウェアのうち、いずれのアプリケーションソフトウェアでも扱うことができるファイルフォーマットで記録された記録媒体であって、
前記第１電子機器を用いて前記コンテンツを再生する場合には、前記第１電子機器が前記第１アプリケーションソフトウェアを前記記録媒体の前記第１記録領域から読み出す一方、前記第２電子機器を用いて前記コンテンツを再生する場合には、前記第２電子機器が前記第２アプリケーションソフトウェアを前記記録媒体の前記第２記録領域から読み出す、読出ステップと、
前記読み出した、第１アプリケーションソフトウェアまたは第２アプリケーションソフトウェアを実行して、前記第３記録領域に記録された前記コンテンツを再生する再生ステップとを含む、コンテンツ再生方法。
【請求項１７】
記録媒体に記録されたコンテンツの再生を実行するためのコンテンツ再生方法であって、
前記記録媒体は、
異なる種別のコンテンツをデジタルデータとして記録した記録媒体であって、
少なくとも１以上の種別のコンテンツが含まれた記録領域を複数含み、
自媒体にアクセス可能な第１電子機器がアクセス可能な記録領域を示す領域情報が、電子機器の機器識別データに対応付けて記録されており、
さらに、前記コンテンツとして電子化された辞書を含み、
前記辞書のコンテンツが記録された記録領域にアクセスを許可された前記第１電子機器によって生成された、前記コンテンツに含まれるデータを特定するための特定データと、前記特定データを生成した前記第１電子機器を利用した第１ユーザを識別する第１ユーザ識別データとが対応付けられた第１ユーザ辞書データが、前記コンテンツが記録された記録領域とは異なる記録領域に記録され、
前記第１ユーザ辞書データは、少なくとも、前記辞書のコンテンツが記録された記録領域にアクセスを許可された第２電子機器でも扱うことができるファイルフォーマットで記録されてた記録媒体であって、
前記第１電子機器が前記記録媒体にアクセスする場合、前記機器識別データと前記領域情報とに基づいて、アクセスを許可する記録領域を制限する制限ステップと、
前記第１電子機器が、アクセスを許可された記録領域に記録されたコンテンツにアクセスし、当該コンテンツを再生するする再生ステップとを含む、コンテンツ再生方法。
【請求項１８】
記録媒体に記録された、電子化された辞書のコンテンツにアクセス可能な電子機器であって、
自機器に備えられた記憶装置から、自機器を識別するための機器識別データと、自機器の利用者を識別するためのデータとして記録された第１ユーザ識別データとを読み出すデータ読出手段と、
前記読み出した機器識別データに基づいて、前記コンテンツを再生するための前記記録媒体に記録された複数のアプリケーションソフトのなかから、自機器で実行可能なアプリケーションソフトウェアを選択するアプリケーションソフト選択手段と、
前記選択したアプリケーションソフトを起動する起動手段と、
前記起動したアプリケーションソフトを用いて前記コンテンツを再生している際に、前記辞書の見出し語が表示されるとともに当該見出し語をしおりとして登録するための指示を受け付けた場合、前記見出し語を特定するためのしおりデータを生成する生成手段と、
前記生成したしおりデータを前記第１ユーザ識別データと対応付けて、前記記録媒体へ記録する記録手段とを備える、電子機器。
【請求項１９】
記録媒体に記録された、電子化された辞書のコンテンツにアクセス可能な電子機器であって、
自機器に備えられた記憶装置から、自機器を識別するための機器識別データと、自機器の利用者を識別するためのデータとして記録された第１ユーザ識別データとを読み出すデータ読出手段と、
前記記録媒体が、前記辞書のコンテンツ以外の種別のコンテンツをデジタルデータとして記録するとともに、少なくとも１以上の種別のコンテンツが含まれた記録領域を複数含んでいる場合、前記読み出した機器識別データに基づいて、前記複数の記録領域のうちアクセスが可能な記録領域を選択する領域選択手段と、
前記選択した記録領域に含まれるコンテンツを再生する再生手段と、
前記辞書のコンテンツの再生を行っている際に、前記辞書の見出し語が表示されるとともに当該見出し語をしおりとして登録するための指示を受け付けた場合、前記見出し語を特定するためのしおりデータを生成する生成手段と、
前記生成したしおりデータを前記第１ユーザ識別データと対応付けて、前記記録媒体へ記録する記録手段とを備える、電子機器。
【発明の詳細な説明】
【技術分野】
【０００１】
データの記録が可能なコンピュータ読取可能な記録媒体、当該記録媒体へのデータ記録方法、当該記録媒体に記録されたコンテンツを再生するためのコンテンツ再生方法、および当該記録媒体に記録されたデータの読取りと当該記録媒体へのデータの記録が可能な電子機器に関する。
【背景技術】
【０００２】
特許文献１には、光ディスクに、光ディスク装置が接続されたコンピュータ機器における物理的ドライブ構成、および該光ディスクに記録されたプログラムの論理的ドライブ構成を対応させる対応テーブルを備える可換記憶媒体が開示されている。
【０００３】
これにより、特許文献１では、単一の媒体で、異なる種類の機種のコンピュータ機器での運用を可能としている。
【０００４】
特許文献２には、ボリュームイメージから任意の１つまたは複数のイメージがリストアできるように、他のソフトウェアの他のイメージと結合することができる第１のソフトウェアのイメージ、およびそれに関する方法が開示されている。
【０００５】
さらに、特許文献２には、第１のソフトウェアまたは第２のソフトウェアが、オペレーティングシステム、アプリケーションプログラム、または両方を備える旨が開示されている。また、同文献には、第１のソフトウェアと第２のソフトウェアは類似したアプリケーションであり、第１のソフトウェアは第１のオペレーティングシステムとともに使われるもので、第２のソフトウェアは第２のオペレーティングシステムとともに使われるものである旨が開示されている。
【０００６】
特許文献３には、ＰＣ側で実行されたＰＣデータベースに格納されたアプリケーションデータの編集内容を携帯情報端末側の端末データベースに反映させる場合、ＰＣでは、前回データ更新時のアイテムＩＤ、識別番号、および通信時刻情報が格納されたシンクロプロファイルを参照し、前回データ更新終了後に編集されたアイテムを検出するデータ後進方法が開示されている。
【０００７】
これにより、特許文献３では、２つの情報処理機器間のデータベースを共有しているアプリケーションデータのデータ更新処理の煩雑化を抑制している。
【０００８】
特許文献４には、コンテンツデータを供給するにあたって、それを所望するユーザから当該ユーザの所有する出力装置のＩＤを取得し、そのＩＤを含むような電子透かし情報をコンテンツデータに埋め込むこととして、出力可能な出力装置を特定した状態でコンテンツデータを配信するコンテンツデータ供給装置が開示されている。
【０００９】
これにより、特許文献４では、コンテンツの著作権保護を適切に図っている。
特許文献５には、光ビームを照射することによって信号を読み出すことが可能な層を複数有し、そのうちの少なくとも１層を記録再生消去可能な層とし、他の層を再生のみ可能な層で構成した光ディスクが開示されている。
【００１０】
また、従来より、複数の辞書のコンテンツが搭載された電子辞書が開発されている。
【特許文献１】特開平５−３２４２０４号公報
【特許文献２】特表２００７−５２１５２８号公報
【特許文献３】特開２００２−５５８６４号公報
【特許文献４】特開２００２−１７６５５１号公報
【特許文献５】特開平９−１８０２４８号公報
【発明の開示】
【発明が解決しようとする課題】
【００１１】
しかしながら、上記電子辞書は単体で動作するものであるため、電子辞書のアプリケーションや辞書データを、例えばパーソナルコンピュータ等の他の機器で活用することはできなかった。
【００１２】
本願発明は上記の問題点に鑑みなされたものであって、主たる目的は、ユーザの指示に基づき生成された、辞書コンテンツに含まれるデータを特定するためのデータを、他の機器でも利用可能とする記録媒体、当該データのデータ記録方法、コンテンツ再生方法、および電子機器を提供することにある。
【課題を解決するための手段】
【００１３】
本発明のある局面に従うと、記録媒体は、電子化された辞書をコンテンツとして記録した記録媒体であって、第１機器識別データを記憶した第１電子機器にて実行可能な、コンテンツを再生するための第１アプリケーションソフトウェアを記録した第１記録領域と、第２機器識別データを記憶した第２電子機器にて実行可能な、コンテンツを再生するための第２アプリケーションソフトウェアを記録した第２記録領域と、第１電子機器および第２電子機器のうち少なくともいずれかの電子機器によって生成された、コンテンツに含まれるデータを特定するための特定データと、特定データを生成した電子機器のユーザを識別する第１ユーザ識別データとが対応付けられた第１ユーザ辞書データを記録した第３記録領域と、を備えており、第１電子機器を用いてコンテンツを再生する場合には、第１アプリケーションソフトウェアが第１電子機器にて実行される一方、第２電子機器を用いてコンテンツを再生する場合には、第２アプリケーションソフトが第２電子機器にて実行され、第１ユーザ辞書データは、第１アプリケーションソフトウェアおよび第２アプリケーションソフトウェアのうち、いずれのアプリケーションソフトウェアでも扱うことができるファイルフォーマットで記録されている。
【００１４】
また、記録媒体は、異なる種別の電子化された辞書を各コンテンツとして記録しており、第１ユーザ辞書データでは、少なくともコンテンツ毎に、コンテンツの種別と特定データと第１ユーザ識別データとが対応付けられていることが好ましい。
【００１５】
また、上記辞書と同種の辞書がコンテンツとして記録された記録媒体であって、かつ、第１アプリケーションソフトウェアまたは第２アプリケーションソフトウェアを実行可能な第３電子機器によって生成された、コンテンツに含まれるデータを特定するための特定データと、特定データを生成した第３電子機器のユーザを識別する第２ユーザ識別データとが対応付けられている第２ユーザ辞書データであるとともに、第１アプリケーションソフトウェアおよび第２アプリケーションソフトウェアのうち、いずれのアプリケーションソフトでも扱うことができるファイルフォーマットで記録されている第２ユーザ辞書データが記録された記録媒体を、他の記録媒体とすると、第１電子機器および第２電子機器のうち少なくともいずれかの電子機器が、他の記録媒体から第２ユーザ辞書データを読み出して、当該読み出した第２ユーザ辞書データを自機器の記憶装置に記憶させた後に、当該電子機器において自媒体へのアクセスを実行すべく自媒体が配置された状態となっている場合には、第２ユーザ辞書データの書き込みを受け付けることが好ましい。
【００１６】
また、他の記録媒体は、異なる種別の電子化された辞書を各コンテンツとして記録し、さらに、第２ユーザ辞書データは、少なくともコンテンツ毎に、コンテンツの種別と特定データと第２ユーザ識別データとが対応付けられており、本発明に係る記録媒体は、第２ユーザ辞書データのうち、自媒体において利用が許可されたコンテンツと同一のコンテンツに関するデータの書き込みを受け付けることが好ましい。
【００１７】
また、記録媒体は、特定データは辞書におけるしおり機能を実行する際に用いるしおりデータであって、第１電子機器、第２電子機器、第３電子機器、および他の電子機器のうち少なくともいずれかの電子機器にて、しおりデータに基づくしおりを表示する場合には、第１ユーザ識別データに対応付けられたしおりデータに基づくしおりなのか、あるいは第２ユーザ識別データに対応付けられたしおりデータに基づくしおりであるのかを区別した表示を当該電子機器に実行させることが好ましい。
【００１８】
また、記録媒体は、ＲＡＭ層とＲＯＭ層とを含み、第１ユーザ辞書データはＲＡＭ層に記録され、コンテンツはＲＯＭ層に記録され、第１アプリケーションソフトウェアはＲＡＭ層またはＲＯＭ層に記録され、第２アプリケーションソフトウェアはＲＡＭ層またはＲＯＭ層に記録されていることが好ましい。
【００１９】
本発明の他の局面に従うと、記録媒体は、異なる種別のコンテンツをデジタルデータとして記録した記録媒体であって、少なくとも１以上の種別のコンテンツが含まれた記録領域を複数含み、自媒体にアクセス可能な第１電子機器がアクセス可能な記録領域を示す領域情報が、電子機器の機器識別データに対応付けて記録されており、さらに、前記コンテンツとして電子化された辞書を含み、辞書のコンテンツが記録された記録領域にアクセスを許可された第１電子機器によって生成された、コンテンツに含まれるデータを特定するための特定データと、特定データを生成した第１電子機器を利用した第１ユーザを識別する第１ユーザ識別データとが対応付けられた第１ユーザ辞書データが、コンテンツが記録された記録領域とは異なる記録領域に記録され、第１電子機器が自媒体にアクセスする場合には、機器識別データと領域情報とに基づいて、アクセスを許可する記録領域を制限し、第１ユーザ辞書データは、少なくとも、辞書のコンテンツが記録された記録領域にアクセスを許可された第２電子機器でも扱うことができるファイルフォーマットで記録されている。
【００２０】
また、記録媒体は、異なる種別の電子化された辞書を各コンテンツとして記録しており、第１ユーザ辞書データでは、少なくともコンテンツ毎に、コンテンツの種別と特定データと第１ユーザ識別データとが対応付けられていることが好ましい。
【００２１】
また、上記辞書と同種の辞書がコンテンツとして記録された記録媒体であって、かつ、第２電子機器によって生成された、コンテンツに含まれるデータを特定するための特定データと、特定データを生成した第２電子機器を利用した第２ユーザを識別する第２ユーザ識別データとが対応付けられている第２ユーザ辞書データであるとともに、第１電子機器でも扱うことができるファイルフォーマットで記録されている第２ユーザ辞書データが記録された記録媒体を、他の記録媒体とすると、第１電子機器が、他の記録媒体から第２ユーザ辞書データを読み出して、当該読み出した第２ユーザ辞書データを第１電子機器の記憶装置に記憶させた後に、第１電子機器にて自媒体がアクセス可能な状態となっている場合には、第２ユーザ辞書データの書き込みを受け付けることが好ましい。
【００２２】
また、他の記録媒体は、異なる種別の電子化された辞書を各コンテンツとして記録し、さらに、第２ユーザ辞書データは、少なくとも辞書のコンテンツ毎に、コンテンツの種別と特定データと第２ユーザ識別データとが対応付けられており、本発明に係る記録媒体は、第２ユーザ辞書データのうち、自媒体において利用が許可されたコンテンツと同一のコンテンツに関するデータの書き込みを受け付けることが好ましい。
【００２３】
また、記録媒体は、特定データは、辞書におけるしおり機能を実行する際に用いるしおりデータであって、第１電子機器または第２電子機器にて、しおりデータに基づくしおりを表示する場合には、第１ユーザ識別データに対応付けられたしおりデータに基づくしおりなのか、あるいは第２ユーザ識別データに対応付けられたしおりデータに基づくしおりであるのかを区別した表示を当該電子機器に実行させることが好ましい。
【００２４】
また、記録媒体は、ＲＡＭ層とＲＯＭ層とを含み、ＲＡＭ層には、少なくとも第１ユーザ辞書データが記録され、ＲＯＭ層には、各コンテンツが記録されていることが好ましい。
【００２５】
本発明のさらに他の局面に従うと、データ記録方法は、電子化された辞書のコンテンツが記録された記録媒体への電子機器によるデータ記録方法であって、電子機器から、電子機器を識別するための機器識別データと、電子機器の利用者を識別するための第１ユーザ識別データとを読み出すデータ読出ステップと、読み出した機器識別データに基づいて、コンテンツを再生するための記録媒体に記録された複数のアプリケーションソフトのなかから、電子機器で実行可能なアプリケーションソフトウェアを特定する特定ステップと、特定したアプリケーションソフトを起動する起動ステップと、起動したアプリケーションソフトを用いてコンテンツを再生している際に、コンテンツに含まれるデータに基づく表示がなされるとともに当該データを登録するための指示を受け付けた場合、データを特定するための特定データ生成する生成ステップと、生成した特定データを第１ユーザ識別データと対応付けて、記録媒体へ記録する記録ステップとを含む。
【００２６】
本発明のさらに他の局面に従うと、データ記録方法は、電子化された辞書のコンテンツが記録された記録媒体への電子機器によるデータ記録方法であって、電子機器から、電子機器を識別するための機器識別データと、電子機器の利用者を識別するための第１ユーザ識別データとを読み出すデータ読出ステップと、記録媒体が、辞書のコンテンツ以外の種別のコンテンツをデジタルデータとして記録するとともに、少なくとも１以上の種別のコンテンツが含まれた記録領域を複数含んでいる場合、読み出した機器識別データに基づいて、複数の記録領域のうちアクセスが可能な記録領域を選択する選択ステップと、選択した記録領域に含まれるコンテンツを再生する再生ステップと、辞書のコンテンツの再生を行っている際に、コンテンツに含まれるデータに基づく表示がなされるとともに当該データを登録するための指示を受け付けた場合、データを特定するための特定データ生成する生成ステップと、生成した特定データを第１ユーザ識別データと対応付けて、記録媒体へ記録する記録ステップとを含む。
【００２７】
また、データ記録方法は、指示は、辞書の見出しをしおりとして登録するための指示であることが好ましい。
【００２８】
本発明のさらに他の局面に従うと、コンテンツ再生方法は、記録媒体に記録されたコンテンツの再生を実行するためのコンテンツ再生方法であって、記録媒体は、電子化された辞書をコンテンツとして記録した記録媒体であって、第１機器識別データを記憶した第１電子機器にて実行可能な、コンテンツを再生するための第１アプリケーションソフトウェアを記録した第１記録領域と、第２機器識別データを記憶した第２電子機器にて実行可能な、コンテンツを再生するための第２アプリケーションソフトウェアを記録した第２記録領域と、第１電子機器および第２電子機器のうち少なくともいずれかの電子機器によって生成された、コンテンツに含まれるデータを特定するための特定データと、特定データを生成した電子機器のユーザを識別する第１ユーザ識別データとが対応付けられた第１ユーザ辞書データを記録した第３記録領域と、を備えており、第１ユーザ辞書データは、第１アプリケーションソフトウェアおよび第２アプリケーションソフトウェアのうち、いずれのアプリケーションソフトウェアでも扱うことができるファイルフォーマットで記録された記録媒体であって、第１電子機器を用いてコンテンツを再生する場合には、第１電子機器が第１アプリケーションソフトウェアを記録媒体の第１記録領域から読み出す一方、第２電子機器を用いてコンテンツを再生する場合には、第２電子機器が第２アプリケーションソフトウェアを記録媒体の第２記録領域から読み出す、読出ステップと、読み出した、第１アプリケーションソフトウェアまたは第２アプリケーションソフトウェアを実行して、第３記録領域に記録されたコンテンツを再生する再生ステップとを含む。
【００２９】
本発明のさらに他の局面に従うと、コンテンツ再生方法は、記録媒体に記録されたコンテンツの再生を実行するためのコンテンツ再生方法であって、記録媒体は、異なる種別のコンテンツをデジタルデータとして記録した記録媒体であって、少なくとも１以上の種別のコンテンツが含まれた記録領域を複数含み、自媒体にアクセス可能な第１電子機器がアクセス可能な記録領域を示す領域情報が、電子機器の機器識別データに対応付けて記録されており、さらに、コンテンツとして電子化された辞書を含み、辞書のコンテンツが記録された記録領域にアクセスを許可された第１電子機器によって生成された、コンテンツに含まれるデータを特定するための特定データと、特定データを生成した第１電子機器を利用した第１ユーザを識別する第１ユーザ識別データとが対応付けられた第１ユーザ辞書データが、コンテンツが記録された記録領域とは異なる記録領域に記録され、第１ユーザ辞書データは、少なくとも、辞書のコンテンツが記録された記録領域にアクセスを許可された第２電子機器でも扱うことができるファイルフォーマットで記録されてた記録媒体であって、第１電子機器が記録媒体にアクセスする場合、機器識別データと領域情報とに基づいて、アクセスを許可する記録領域を制限する制限ステップと、第１電子機器が、アクセスを許可された記録領域に記録されたコンテンツにアクセスし、当該コンテンツを再生するする再生ステップとを含む。
【００３０】
本発明のさらに他の局面に従うと、電子機器は、記録媒体に記録された、電子化された辞書のコンテンツにアクセス可能な電子機器であって、自機器に備えられた記憶装置から、自機器を識別するための機器識別データと、自機器の利用者を識別するためのデータとして記録された第１ユーザ識別データとを読み出すデータ読出手段と、読み出した機器識別データに基づいて、コンテンツを再生するための記録媒体に記録された複数のアプリケーションソフトのなかから、自機器で実行可能なアプリケーションソフトウェアを選択するアプリケーションソフト選択手段と、選択したアプリケーションソフトを起動する起動手段と、起動したアプリケーションソフトを用いてコンテンツを再生している際に、辞書の見出し語が表示されるとともに当該見出し語をしおりとして登録するための指示を受け付けた場合、見出し語を特定するためのしおりデータを生成する生成手段と、生成したしおりデータを第１ユーザ識別データと対応付けて、記録媒体へ記録する記録手段とを備える。
【００３１】
本発明のさらに他の局面に従うと、電子機器は、記録媒体に記録された、電子化された辞書のコンテンツにアクセス可能な電子機器であって、自機器に備えられた記憶装置から、自機器を識別するための機器識別データと、自機器の利用者を識別するためのデータとして記録された第１ユーザ識別データとを読み出すデータ読出手段と、記録媒体が、辞書のコンテンツ以外の種別のコンテンツをデジタルデータとして記録するとともに、少なくとも１以上の種別のコンテンツが含まれた記録領域を複数含んでいる場合、読み出した機器識別データに基づいて、複数の記録領域のうちアクセスが可能な記録領域を選択する領域選択手段と、選択した記録領域に含まれるコンテンツを再生する再生手段と、辞書のコンテンツの再生を行っている際に、辞書の見出し語が表示されるとともに当該見出し語をしおりとして登録するための指示を受け付けた場合、見出し語を特定するためのしおりデータを生成する生成手段と、生成したしおりデータを第１ユーザ識別データと対応付けて、記録媒体へ記録する記録手段とを備える。
【発明の効果】
【００３２】
ユーザの指示に基づき生成された、辞書コンテンツに含まれるデータを特定するためのデータを、第１電子機器および第２電子機器の両方の機器で利用可能となる。
【発明を実施するための最良の形態】
【００３３】
〔実施の形態１〕
本実施の形態に係る、記録媒体と電子装置とについて、図１から図１７に基づいて説明すると以下のとおりである。
【００３４】
図１は、記録媒体としてのディスク１と、少なくとも当該ディスクに記録されたデータを読み取るための各電子機器（２，３）とを示した図である。
【００３５】
ディスク１としては、例えば、ブルーレイディスク（Blue-ray Disc）等の他の記録媒体に比べて記憶容量の大きな記録媒体が特に好ましい。なお、これに限られず、光ディスク（ＭＯ（Magnetic Optical Disc）／ＭＤ（Mini Disc）／ＤＶＤ（Digital Versatile Disc））、ＣＤ−ＲＯＭ、ＩＣ（Integrated Circuit）カード（メモリカードを含む）、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、ハードディスクドライブのような媒体を備えた装置（ＨＤＤ）でもよい。
【００３６】
なお、以下では、ディスク１として、複数の記録層を有するブルーレイディクスを例に挙げて説明する。
【００３７】
各電子機器（２，３）は、ディスク１に記録された情報を、自機器の表示部に表示できる機器である。また、後述するように、ディスク１にデータを書き込む制御を行う機能を備えた機器である。例えば、これらの電子機器としては、例えば、パーソナルコンピュータや電子辞書が挙げられる。なお、通常、電子機器単体としてはディスク１を読み取る装置を備えていない構成の電子機器の場合（例えば電子辞書）には、外付けのディクスを読み取る装置を含めて、本実施の形態の電子機器とする。なお、以下では、電子機器２をパーソナルコンピュータ（ＰＣ）、電子機器３を電子辞書として説明する。
【００３８】
図２は、ディスク１に記憶されているデータを説明するための図である。ここで、図２（ａ）は、ディスク１の記録層を説明するための図であり、図２（ｂ）は、ディスク１の各記録層に記録されるデータ示した図である。
【００３９】
ディスク１は、図２（ａ）に示すとおり、第１記録層１１、第２記録層１２、第３記録層１３、第４記録層１４、…といった複数の記録層を備えている。
【００４０】
第１記録層１１には、図２（ｂ）に示すとおり、管理テーブルが記録されている。なお、管理テーブルの詳細については、後述する。
【００４１】
第２記録層１２には、アプリケーションソフトが記録されている。より詳しくは、第２記録層１２には、パーソナルコンピュータ用のアプリケーションソフトと、電子辞書用のアプリケーションソフトが記録されている。なお、説明の便宜上、第２記録層１２に記録されたアプリケーションソフトを２種類としているだけであり、アプリケーションソフトの種類は２種に限定されるものではない。各種の電子機器に対応すべく、様々な種類のアプリケーションソフトを記録する構成であってもよい。また、パーソナルコンピュータ用のアプリケーションソフトと、電子辞書用のアプリケーションソフトとは、記録層１２の異なる記録領域に別々に記録されている。
【００４２】
第３記録層１３には、コンテンツとして国語辞書の電子データが記録されている。また、第４記録層１４には、コンテンツとして英和辞書の電子データが記録されている。また、図２（ｂ）には、図示していないが、その他、漢字辞書の電子データや和英辞書のデータといった様々な辞書に関するデータが、他の記録層に記録されている。
【００４３】
ここで、第１記録層１１および第２記録層１２は、ＲＡＭ層であり、コンテンツが記録されている層（第３記録層および第４記録層等）は、ＲＯＭ層である。ただし、これに限定されるものではなく、コンテンツの内容が書き換えられるおそれがあるが、コンテンツがＲＡＭ層に記憶される構成とすることも可能である。
【００４４】
なお、上記においては、説明の便宜上、辞書に関する電子データが異なる記録層に分かれて記録されている例を挙げているが、これに限定されるものではなく、１つの記録層に複数の種類の辞書の電子データが記録される構成であってもよい。また、アプリケーションソフトが、コンテンツが記録されている記録層と同じ層に記録される構成であってもよい。また、管理テーブルが、アプリケーションソフトが記録された記録層および／またはコンテンツが記録された記録層と同じ層に記録される構成であってもよい。
【００４５】
なお、上記においては、パーソナルコンピュータ用のアプリケーションソフトがＲＡＭ層である第２記録層１２に記録されている構成を例として挙げているが、これに限定されるものではなく、当該ソフトがＲＯＭ層に記録される構成であってもよい。同様に、電子辞書用のアプリケーションソフトについても、ＲＯＭ層に記録される構成であってもよい。
【００４６】
図３は、電子機器２の概略構成を示した機能ブロック図である。
電子機器２は、図３に示すとおり、入力部２１と、表示部２２と、音声出力部２３と、機器ＩＤ記憶部２４と、ユーザデータ記憶部２５と、ユーザ辞書データ一時記憶部２６と、処理データ一時記憶部２７と、データ読取／書込部２８と、制御部２９とを備えている。
【００４７】
入力部２１は、ユーザからの入力を受け付けるための入力デバイスである。入力部２１を介してユーザが語句等の入力を行うことにより、処理データ一時記憶部２７に当該入力された語句等が一時的に記憶される。
【００４８】
表示部２２は、制御部２９からの指示に基づき、入力部２１を介して入力されたデータ、および制御部２９における各種の処理の結果を表示するためのデバイスである。
【００４９】
音声出力部２３は、制御部２９からの指示に基づき、音声を出力する。
機器ＩＤ記憶部２４は、電子機器２の種別を識別するための機器識別情報（ＩＤ）を記憶している。なお、以下では、この機器識別情報を、機器ＩＤと称する。
【００５０】
ユーザデータ記憶部２５は、電子機器２のユーザに関するデータ（以下、ユーザデータ）を記憶している。また、ユーザデータ記憶部２５には、上記ユーザデータとして、ユーザ名、選択したコンテンツの種別を示すデータ等が記憶される。
【００５１】
ユーザ辞書データ一時記憶部２６には、電子機器２がディクス１に記録されたデータを処理している際に、所定のデータを記憶する。なお、どのようなタイミングで、どのようなデータがユーザ辞書データ一時記憶部２６に記憶されるかは、後述する。
【００５２】
処理データ一時記憶部２７は、入力部２１を介して入力されたデータ、制御部２９により処理されるデータ、および制御部２９により処理されている途中のデータ等を、一時的に記憶する。
【００５３】
データ読取／書込部２８は、ディスク１が電子機器２において読み取り可能な状態に載置された場合、制御部２９からデータの読み取りの指示を受け付けたときには、ディスク１に記録されたデータを読み取るとともに、制御部２９からのデータ書き込みの指示を受け付けたときには、ディスク１へデータの書き込みを行う。
【００５４】
このように、データ読取／書込部２８は、ディスクドライブとしての機能を果たす。なお、以下では、ディスク１が電子機器２において読み取り可能な状態に載置されることをを、「ディスク１を電子機器２のドライブに挿入する」とも称する。
【００５５】
制御部２９は、電子機器２の各種の動作を制御する。また、制御部２９は、起動アプリ選択部３１、ユーザ辞書データ登録処理部３３、ユーザ辞書データマージ部３４、およびアプリケーションソフト展開／実行部３５とを備えている。なお、制御部２９および制御部２９内の各部は機能ブロックであり、これらのブロックにおける処理は、後述するＣＰＵにより実行されるソフトウェアによって実現される。
【００５６】
ここで、制御部２９の各機能ブロックについて、説明する。
起動アプリ選択部３１は、機器ＩＤ記憶部２４に記憶された機器ＩＤに基づいて、第２記録層１２に記録された２種類のアプリケーションソフトから、電子機器２で実行可能な１つのアプリケーションソフトを選択する。
【００５７】
ユーザ辞書データ登録処理部３３は、入力部１１を介したユーザからの指示に基づいて辞書のしおりデータを生成するとともに、当該生成したしおりデータをユーザ名と辞書のコンテンツ種別と対応付けてディスク１へ登録する。
【００５８】
ユーザ辞書データマージ部３４は、他のディスクのユーザ辞書データと、ディクス１のユーザ辞書データとを併合する。併合する具体的な手法については、後述する。
【００５９】
アプリケーションソフト展開／実行部３５は、起動アプリ選択部３１が選択したアプリケーションソフトであって、データ読取／書込部２８がディスク１から読み出したアプリケーションソフトを、処理データ一時記憶部２７に展開し、展開したアプリケーションソフトを実行する。
【００６０】
なお、電子機器３についても、電子機器２と同様な構成を備えるため、ここでの説明は省略する。
【００６１】
ここで、図４を参照して、電子機器２の具体的構成の一態様について説明する。同図は、電子機器２として機能するコンピュータシステム１００のハードウェア構成を表わすブロック図である。
【００６２】
コンピュータシステム１００は、主たる構成要素として、プログラムを実行するＣＰＵ１１０と、コンピュータシステム１００の使用者による指示の入力を受けるマウス１２０およびキーボード１３０と、ＣＰＵ１１０によるプログラムの実行により生成されたデータ、又はマウス１２０若しくはキーボード１３０を介して入力されたデータを揮発的に記憶するＲＡＭ１４０と、データを不揮発的に記憶するハードディスク１５０と、ブルーレイディスク駆動装置１６０と、モニタ１７０と、通信ＩＦ（Interface）１８０と、スピーカ１９０とを含む。各構成要素は、相互にデータバスによって接続されている。ブルーレイディスク駆動装置１６０には、ディスク１が装着される。
【００６３】
なお、電子機器２における入力部２１がキーボード１３０およびマウス１２０に該当し、表示部２２がモニタ１７０に該当し、機器ＩＤ記憶部２４とユーザデータ記憶部２５とユーザ辞書データ一時記憶部２６と処理データ一時記憶部２７とがＲＡＭ１４０し、ブルーレイディスク駆動装置１６０がデータ読取／書込部２８に該当し、音声出力部２３がスピーカに該当する。
【００６４】
コンピュータシステム１００における処理は、各ハードウェアおよびＣＰＵ１１０により実行されるソフトウェアによって実現される。このようなソフトウェアは、ハードディスク１５０に予め記憶されている場合がある。また、ソフトウェアは、ＣＤ−ＲＯＭその他の記憶媒体に記憶されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＣＤ−ＲＯＭ駆動装置その他の読取装置によりその記憶媒体から読み取られて、あるいは、通信ＩＦ１８０を介してダウンロードされた後、ハードディスク１５０に一旦記憶される。そのソフトウェアは、ＣＰＵ１１０によってハードディスク１５０から読み出され、ＲＡＭ１４０に実行可能なプログラムの形式で格納される。ＣＰＵ１１０は、そのプログラムを実行する。
【００６５】
同図に示されるコンピュータシステム１００を構成する各構成要素は、一般的なものである。したがって、本発明の本質的な部分は、ＲＡＭ１４０、ハードディスク１５０、ＣＤ−ＲＯＭその他の記憶媒体に格納されたソフトウェア、あるいはネットワークを介してダウンロード可能なソフトウェアであるともいえる。なお、コンピュータシステム１００の各ハードウェアの動作は周知であるので、詳細な説明は繰り返さない。
【００６６】
ここでいうプログラムとは、ＣＰＵにより直接実行可能なプログラムだけでなく、ソースプログラム形式のプログラム、圧縮処理されたプログラム、暗号化されたプログラム等を含む。
【００６７】
ところで、電子辞書である電子機器３の場合には、ハードディスク１５０の代わりに例えばフラッシュメモリを用いることができる。また、入力部１１として、タッチペン式の入力装置を備える構成としてもよい。さらに、小型化の観点から、モニタ１７０としては、液晶モニタや有機ＥＬモニタ等の薄型のモニタを使用することが好適である。
【００６８】
次に、電子機器２や電子機器３の機器ＩＤ記憶部２４に記憶された機器ＩＤに基づいて、ディスク１から読み出すアプリケーションソフトを起動アプリ選択部３１が選択する際における具体的な処理について説明する。
【００６９】
図５は、ディスク１の第１記録層１１に記録された管理テーブルのうち、起動ソフト管理テーブルの構成を示した図である。同図に示すとおり、起動ソフト管理テーブルにおいては、機器ＩＤとポインタ情報とが対応付けられて記憶されている。
【００７０】
ここで、機器ＩＤ「１」には、機器ＩＤが「１」の機器に用いるアプリケーションソフトを読み出すためのポインタ情報である「ＸＸＸＸＸ」が対応付けられている。例えば、電子機器２の機器ＩＤが「１」の場合には、ポインタ情報「ＸＸＸＸＸ」は、パーソナルコンピュータ用のアプリケーションソフトを読み出すためのポインタ情報となる。また、電子機器３の機器ＩＤが「２」の場合には、ポインタ情報「ＹＹＹＹＹ」は、電子辞書用のアプリケーションソフトを読み出すためのポインタ情報となる。
【００７１】
図６は、ディスク１を電子機器２のドライブに挿入してから、アプリケーションソフトを起動するまでの電子機器２における処理の流れを示したフローチャートである。
【００７２】
まず、制御部２９が、ディスク１がドライブに挿入されたか否かを判断する（Ｓ１）。ステップＳ１において挿入されたと判断された場合には、起動アプリ選択部３１が、機器ＩＤ記憶部２４から機器ＩＤを読み出す（Ｓ２）。一方、ステップＳ１において挿入されたと判断されなかった場合には、再度、ステップＳ１に戻る。
【００７３】
ステップＳ２の後は、起動アプリ選択部３１が、読み出した機器ＩＤと、図５に示した起動ソフト管理テーブルの機器ＩＤとを順次比較し、比較結果を処理データ一時記憶部２７に記憶する（Ｓ３）。そして、ステップＳ３の後は、上記比較結果に基づき、読み出した機器ＩＤに一致した機器ＩＤが存在するか否かを、起動アプリ選択部３１が判断する（Ｓ４）。
【００７４】
ステップＳ４において一致した機器ＩＤが存在すると判断された場合には、当該一致した機器ＩＤに対応付けられたポインタ情報を、起動アプリ選択部３１が起動ソフト管理テーブルから読み出す（Ｓ５）。以上により、起動アプリ選択部３１によりアプリケーションソフトの選択が終了する。一方、ステップＳ４において一致した機器ＩＤが存在すると判断されなかった場合には、処理を終了する。
【００７５】
ステップＳ５の後は、データ読取／書込部２８が、上記読み出したポインタ情報を用いてディスク１からアプリケーションソフトを読み出し、アプリケーションソフト展開／実行部３５が、読み出したアプリケーションソフトを実行する（Ｓ６）。以上により、一連の処理が終了する。
【００７６】
次に、電子機器２や電子機器３のユーザデータ記憶部２５に記憶されたユーザ名と、コンテンツの種別と、しおりデータとを対応付けてユーザ辞書データとしてディスク１へ登録する際の、ユーザ辞書データ登録部３３における具体的な処理について説明する。
【００７７】
図７は、ユーザ辞書データをディクス１へ登録する際の電子機器２における処理を示したフローチャートである。
【００７８】
まず、制御部２９が、入力部２１を介したユーザからの入力に基づき、辞書のコンテンツが選択されたか否かを判断する（Ｓ１１）。例えば、電子機器２が自機器に収録されている辞書のコンテンツの一覧を表示し、ユーザによる入力部２１を介した１つのコンテンツを指定する入力を受け付けることにより、コンテンツが選択されたことが制御部２９により判断される。
【００７９】
ステップＳ１１においてコンテンツが選択された場合には、ユーザ辞書データ登録部３３は、選択されたコンテンツの種別を示したデータをユーザデータ記憶部２５に記憶する（Ｓ１２）。一方、ステップＳ１１においてコンテンツが選択されていない場合には、再度、Ｓ１１に戻る。
【００８０】
ステップＳ１２の後は、選択された辞書のコンテンツにおいて、入力部２１を介した検索キーワードの入力を受け付けたか否かが、ユーザ辞書データ登録部３３により判断される（Ｓ１３）。ステップＳ１３において検索キーワードの入力を受け付けた場合には、当該選択された辞書のコンテンツ内において検索処理が制御部２９により実行される（Ｓ１４）。一方、ステップＳ１３において検索キーワードの入力を受け付けていない場合には、再度、ステップＳ１３に戻る。
【００８１】
ステップＳ１４の後は、制御部２９が上記検索により見つけ出した見出し語を表示部２２に表示させる（Ｓ１５）。ステップＳ１５の後は、見出し語をしおりとして登録する操作を、入力部２１を介して受け付けたか否かが、ユーザ辞書データ登録部３３により判断される（Ｓ１６）。
【００８２】
ステップＳ１６において上記操作を受け付けたと判断された場合には、ユーザ辞書データ登録部３３は、ユーザデータ記憶部２５から、ユーザ名と当該選択された辞書のコンテンツの種別を示したデータとを読み出す（Ｓ１７）。一方、ステップＳ１６において上記操作を受け付けたと判断されなかった場合には、再度、ステップＳ１６に戻る。
【００８３】
ステップＳ１７の後は、ユーザ辞書データ登録部３３が、しおりとして登録対象となっている見出し語に基づき、読み出したユーザ名と読み出したコンテンツの種別を示したデータとに対応付けて、しおりデータを生成する（Ｓ１８）。なお、しおりデータとしては、見出し語そのものではなく、見出し語を特定できるデータであればよい。
【００８４】
ステップＳ１８の後は、対応付けられた、しおりデータとユーザ名とコンテンツ種別とを、ユーザ辞書データとして、ユーザ辞書データ登録部３３が、データ読取／書込部２８を介してディスクへ登録する（Ｓ１９）。以上により、一連の処理が終了する。
【００８５】
図８は、図７に示したフローにより生成されたユーザ辞書データであって、ディスク１の第１記録層１１において上記管理テーブルの１つのテーブルとして記録されたユーザ辞書データを示した図である。例えば、同図においては、電子機器２のユーザである「ユーザＡ」と、英和辞書を示す「Ａ１」といったコンテンツ種別を示すデータと、しおりデータである「しおりデータ１」とが対応付けされている。また、同図に示すとおり、各しおりデータに対して、ユーザ名とコンテンツ種別を示すデータとが対応付けされている。
【００８６】
ここで、ユーザ辞書データは、パーソナルコンピュータ用のアプリケーションソフトおよび電子辞書用のアプリケーションソフトのうち、いずれのアプリケーションソフトウェアでも扱うことができるファイルフォーマットで、ディスク１に記録されている。なお、上記ファイルフォーマットは、アプリケーションソフトの種類に基づいて予め定められている。なお、電子機器２や電子機器３は、処理データ一時記憶部２７に展開し、展開したアプリケーションソフトにより、上記ファイルフォーマットでユーザ辞書データのディスク１への登録を実行する。
【００８７】
以上のように、ディスク１には、電子化された辞書をコンテンツとして記録した記録媒体であって、機器ＩＤ「１」を記憶した電子機器２にて実行可能な、コンテンツを再生するためのパーソナルコンピュータ用のアプリケーションソフトウェアが記録されている。また、ディスク１には、機器ＩＤ「２」を記憶した電子機器３にて実行可能な、コンテンツを再生するための電子辞書用のアプリケーションソフトウェアが記録されている。さらに、ディスク１には、電子機器２および電子機器３のうち少なくともいずれかの電子機器によって生成された、上記コンテンツに含まれる見出し語を特定するためのしおりデータと、しおりデータを生成した電子機器のユーザを識別するユーザ名とが対応付けられたユーザ辞書データが記録されている。
【００８８】
そして、電子機器２を用いて上記コンテンツを再生する場合には、パーソナルコンピュータ用のアプリケーションソフトウェアが電子機器２にて実行される一方、電子機器３を用いて上記コンテンツを再生する場合には、電子辞書用のアプリケーションソフトが電子機器３にて実行される。
【００８９】
さらに、ディスク１では、ユーザ辞書データは、パーソナルコンピュータ用のアプリケーションソフトウェアおよび電子辞書用のアプリケーションソフトウェアのうち、いずれのアプリケーションソフトウェアでも扱うことができるファイルフォーマットで記録されている。
【００９０】
このような構成により、ディスク１に記録されたコンテンツを再生するアプリケーションソフトが異なる電子機器のうち、いずれの電子機器においても、しおりデータを利用することができる。また、ユーザ辞書データを参照することにより、しおりデータが誰が所有する機器によって生成されたのかが判断できる。
【００９１】
また、ディスク１は、異なる種別の電子化された辞書を各コンテンツとして記録しており、上記ユーザ辞書データでは、少なくともコンテンツ毎に、コンテンツの種別としおりデータとユーザ名とが対応付けられている。
【００９２】
このような構成により、コンテンツの種別によらず、しおりデータとユーザ名とが対応付けらる。それゆえ、電子機器にて何れのコンテンツを表示させても、当該コンテンツに関するしおりデータが誰が所有する機器によって生成されたのかが判断できる。
【００９３】
また、ディスク１は、ＲＡＭ層とＲＯＭ層とを含み、ＲＡＭ層には、少なくとも、上記ユーザ辞書データと、パーソナルコンピュータ用の１アプリケーションソフトウェアと、電子辞書用のアプリケーションソフトウェアとが記録され、ＲＯＭ層には、上記コンテンツが記録されている構成であるといえる。
【００９４】
このような構成により、辞書のコンテンツについては、読むことのみが許可されるため、辞書の内容が書き換わってしまうことを防止することができる。さらに、辞書のコンテンツが不正にコピーされてしまうことを防止することもできる。
【００９５】
次に、ユーザ辞書データマージ部３４を用いた構成について説明する。
図９は、ディスク１に含まれる複数の辞書のコンテンツのうち、ユーザＡが利用可能なコンテンツ種別を示した図である。同図に示すとおり、ユーザＡは、英和辞書であるコンテンツＡ１と、和英辞書であるコンテンツＷ１と、国語辞書であるコンテンツＫ１と、漢字辞書であるコンテンツＫ２とが利用可能となっている。
【００９６】
なお、一部のコンテンツの利用を制限する方法としては、例えば以下の方法がある。まず、ディスク１の製造元において、コンテンツと当該コンテンツの利用制限を解除する解除キーと同じキーを、コンテンツ毎にディスクに記録しておく。そして、ディスク１のユーザが、ディスク１に含まれているコンテンツのうち利用したいコンテンツに関する解除キーを購入し、当該購入した解除キーとディスク１に記録された上記キーとの認証により、利用制限を解除する方法が挙げられる。
【００９７】
図１０は、ディスク１と同じ構成を有する他のディスクに含まれる複数の辞書のコンテンツのうち、ユーザＢが利用可能なコンテンツ種別を示した図である。なお、ここで、同じ構成とは、ユーザが管理テーブルに新たにデータを追加する前の時点、例えばディスクの購入時点において、図２（ｂ）に示した各記録層に含まれるデータが同一という意味である。ここで、図１０に示すとおり、ユーザＢは、英和辞書であるコンテンツＡ１と、国語辞書であるコンテンツＫ１と、漢字辞書であるコンテンツＫ２とが利用可能となっている。
【００９８】
図１１は、ユーザＡが生成したしおりデータをユーザ名と辞書のコンテンツ種別と対応付けてディスク１（以下、ユーザＡのディスクと称する）へ登録した後の、ユーザ辞書データを示した図である。ここで、ユーザＡが利用可能なコンテンツは、図９に示したとおり、コンテンツＡ１とコンテンツＷ１とコンテンツＫ１とコンテンツＫ２とであるため、図１１では、これらのコンテンツに関係するしおりデータがディスク１に登録されている。
【００９９】
図１２は、ユーザＢが生成したしおりデータをユーザ名と辞書のコンテンツ種別と対応付けて上記他のディスク（以下、ユーザＢのディスクと称する）へ登録した後の、ユーザ辞書データを示した図である。ここで、ユーザＢが利用可能なコンテンツは、図１０に示したとおり、コンテンツＡ１とコンテンツＫ１とコンテンツＫ２とであるため、図１２では、これらのコンテンツに関係するしおりデータがユーザＢのディスクに登録されている。
【０１００】
以下では、図１１に示したユーザ辞書データがユーザＡのディスクに記録され、図１２に示したユーザ辞書データがユーザＢのディスクに記録されていることを前提にして、説明する。また、以下では、ユーザＡのディスクとユーザＢのディスクとを電子機器２のドライブに挿入する場合を例に挙げて説明する。ただし、ディスクを挿入する対象は電子機器２に限定されるものではなく、電子機器３であってもよい。ただし、同一の電子機器であることを必要とする。
【０１０１】
図１３は、ユーザＡのユーザ辞書データとユーザＢのユーザ辞書データとをマージする処理のフローを示したフローチャートである。
【０１０２】
まず、ユーザＡのディスクを電子機器２のドライブに挿入する（Ｓ２１）。ステップＳ２１の後は、ユーザＡのディスクからユーザ辞書データを電子機器２が読み出し、ユーザ辞書データマージ部３４が、ユーザ辞書データをユーザ辞書データ一時記憶部２６に記憶する（Ｓ２２）。ステップＳ２２の後は、ユーザＡのディスクの代わりに、ユーザＢのディスクを電子機器のドライブに挿入する（Ｓ２３）。
【０１０３】
ステップＳ２３の後は、ユーザ辞書データマージ部３４が、ユーザ辞書データ一時記憶部２６に記憶したユーザＡのユーザ辞書データであって、ユーザＢが利用を許可されたコンテンツに関するユーザ辞書データを、ユーザＢのディスクにユーザ辞書データとして追加する（Ｓ２４）。ステップＳ２４の後は、ユーザＢのディスクからユーザ辞書データを電子機器２が読み出し、ユーザ辞書データマージ部３４が、ユーザ辞書データをユーザ辞書データ一時記憶部２６に記憶する（Ｓ２５）。
【０１０４】
ステップＳ２５の後は、ユーザＢのディスクの代わりに、ユーザＡのディスクを電子機器２のドライブに挿入する（Ｓ２６）。ステップＳ２６の後は、ユーザ辞書データマージ部３４が、ユーザ辞書データ一時記憶部２６に記憶したユーザＢのユーザ辞書データであって、ユーザＡが利用を許可されたコンテンツに関するユーザ辞書データを、ユーザＡのディスクにユーザ辞書データとして追加する（Ｓ２７）。
【０１０５】
以上により、ユーザ辞書データマージ部３４によるユーザ辞書データの併合処理が終了する。
【０１０６】
図１４は、上記の併合処理後のユーザＡのディスクに記録されたユーザ辞書データを示した図である。同図に示すとおり、図９に示したユーザＡが使用可能なコンテンツ（Ａ１，Ｗ１，Ｋ１，Ｋ２）に関する、併合処理を行う前のユーザＢのディスクに記録されていたユーザ辞書データが追記されていることがわかる。具体的には、しおりデータとして、しおりデータｂ１、しおりデータｂ２、しおりデータｂ３が追加されている。
【０１０７】
図１５は、上記の併合処理後のユーザＢのディスクに記録されたユーザ辞書データを示した図である。同図に示すとおり、図１０に示したユーザＢが使用可能なコンテンツ（Ａ１，Ｋ１，Ｋ２）に関する、併合処理を行う前のユーザＡのディスクに記録されていたユーザ辞書データが追記されていることがわかる。具体的には、しおりデータとして、しおりデータａ１、しおりデータａ２、しおりデータａ４が追加されている。
【０１０８】
図１６は、図１４に示したユーザＡのディスクに記録されたユーザ辞書データを、電子機器２の表示部２２において「しおりリスト」として表示した場合の表示画面を示した図である。
【０１０９】
図１６に示すとおり、電子機器２の制御部２９は、ユーザ名である「Ａ」に対応付けられたしおりデータに基づくしおりなのか、あるいはユーザ名である「Ｂ」に対応付けられたしおりデータに基づくしおりであるのかを区別した表示を表示部２２に行わせる。なお、ここでは、ユーザＡのディスクを電子機器２のドライブに挿入しているため、図１６では、ユーザＢのディスクから取得したしおりデータについては（Ｂ）という記号を付して上記の区別を行っている例を示している。
【０１１０】
図１７は、図１５に示したユーザＢのディスクに記録されたユーザ辞書データを、電子機器２の表示部２２において「しおりリスト」として表示した場合の表示画面を示した図である。なお、ここでは、ユーザＢのディスクを電子機器２のドライブに挿入しているため、図１７では、ユーザＡのディスクから取得したしおりデータについては（Ａ）という記号を付して上記の区別を行っている例を示している。
【０１１１】
以上のように、ユーザＡのディスクは、ユーザＢのディスクからユーザＢのユーザ辞書データが読み出されて、当該読み出されたユーザＢのユーザ辞書データを電子機器の記憶装置に記憶させた後に、ユーザＡのディスクへのアクセスを実行すべくユーザＡのディスクが配置された状態となっている場合には、ユーザＢのユーザ辞書データの書き込みを受け付ける構成である。また、また、ユーザＢのディスクについても、ユーザＡのディスクと同様な構成である。
【０１１２】
このような構成により、ユーザＡのディスクには、ユーザＢのディスクに記憶されていたユーザＢの辞書データを記録することができる。また、ユーザＢのディスクには、ユーザＡのディスクに記憶されていたユーザＡのユーザ辞書データを記録することができる。
【０１１３】
これにより、ユーザＡとユーザＢとの間で、ユーザ辞書データを共有することができる。
【０１１４】
したがって、勉強等で重要なポイントや関連する情報を簡単に共用することができる。それゆえ、ユーザＡおよびユーザＢは、勉強等における効率を上げることができる。
【０１１５】
また、上述したように、ユーザＡのディスク（ディスク１）は、ユーザＢのユーザ辞書データのうち、ユーザＡのディスクにおいて利用が許可されたコンテンツと同一のコンテンツに関するデータの書き込みを受け付ける構成である。
【０１１６】
このような構成により、ユーザＡが購入したコンテンツに関するユーザＢのユーザ辞書データのみしか利用できないようにすることができる。
【０１１７】
また、上述したように、ユーザＡのディスク（ディスク１）は、電子機器がしおりデータに基づくしおりを表示する場合には、ユーザＡのユーザ名に対応付けられたしおりデータに基づくしおりなのか、あるいはユーザＢのユーザ名に対応付けられたしおりデータに基づくしおりであるのかを区別した表示を当該電子機器に実行させる構成でもある。
【０１１８】
このような構成により、ユーザＡは、ユーザＡのユーザ辞書データに基づくしおりなのか、あるいはユーザＢのユーザ辞書データに基づくしおりなのかを区別することができる。それゆえ、しおりの表示を電子機器にて行った場合、相手からもらった情報を即座に判別することができる。
【０１１９】
なお、上記においては、ユーザＢのディスクは、ディスク１（ユーザＡのディスク）と同じ構成を有すると述べたが、コンテンツに関しては、ユーザＡの辞書のコンテンツと同種の辞書のコンテンツが記録されている構成であればよい。
【０１２０】
ここで、同種の辞書とは、同じタイトルの辞書であって、辞書のデータ構造が共通しているものであればよい。例えば、ユーザＡのディスクに記録された或るコンテンツのバージョンが、ユーザＢのディスクに記録された当該或るコンテンツのバージョンと異なる場合等が、データ構造が共通しているものの一例として挙げられる。
【０１２１】
なお、上記においては、例えば、ステップＳ２４において、ユーザ辞書データ一時記憶部２６に記憶したユーザＡのユーザ辞書データであって、ユーザＢが利用を許可されたコンテンツに関するユーザ辞書データを、ユーザＢのディスクにユーザ辞書データとして追加した。しかしながら、これに限定されるものではなく、ユーザＢが利用を許可されていないコンテンツに関するユーザ辞書データを、ユーザＢのディスクにユーザ辞書データとして追加する構成としてもよい。
【０１２２】
ただし、この場合には、図１８に示すように「しおりリスト」を表示する場合には、ユーザＢが利用を許可されていないコンテンツに関するユーザ辞書データに基づく表示を表示部２２で行わない構成とすればよい。あるいは、ユーザＢが利用を許可されていないコンテンツに関するユーザ辞書データに基づく表示を行うが、当該ユーザ辞書データをユーザＢが選択できないような構成とすればよい。この際、選択できないことをユーザに判別しやすくするように、表示の方法を、選択できるユーザ辞書データと異ならせることが好ましい。
【０１２３】
また、上記においては、ユーザ辞書データでは、コンテンツに含まれる見出し語を特定するためのしおりデータと、しおりデータを生成した電子機器のユーザを識別するユーザ名とが対応付けられている構成を例に挙げたが、これに限定されるものではない。ユーザ名以外のユーザを識別するユーザ識別データが、しおりデータに対応付けられていればよい。例えば、ユーザ識別データとしては、上記機器ＩＤ以外の識別データであって、機器を他の機器から識別するための機器を個別に識別できる固有の識別データを用いることもできる。例えば、上記ユーザ識別データとして、電子機器の製造番号を用いることができる。これは、製造番号により電子機器が一意に特定できるため、当該機器を所有しているユーザを識別可能であるためである。
【０１２４】
また、上記においては、特定データが、辞書におけるしおり機能を実行する際に用いるしおりデータであるとして説明したが、これに限定されるものではない。例えば、しおりデータの代わりに単語帳データであってもよい。
【０１２５】
また、電子機器２や電子機器３が、例えば無線ＬＡＮに接続する機能を有し、かつインターネット等に接続できる構成の場合には、ＵＲＬリストを他人同士で共用することもできる。
【０１２６】
また、コンテンツを含んだディスク１の製造メーカは、多種の辞書のコンテンツが含まれたディスク１種を販売し、ユーザが適宜使用を消耗するコンテンツを使用する権利を購入することにすれば、製造メーカは多種のディスクを製造・販売する必要がない。このため、多種のディスクを製造・販売する場合に比べて、コスト的に有利となる。
【０１２７】
また、ディスク１に記録しているアプリケーションソフトやコンテンツを使用制限を付しておき、例えば使用期間又は回数を制限してもよい。この場合には、低価格でディスク１を提供することが可能となる。なお、この場合、ディスク１に記録した制限情報にて、アプリ起動回数やコンテンツ検索回数で制限をかければよい。このように制限をかける利点は、低価格での提供以外に、以下の点が挙げられる。
【０１２８】
大抵の場合、ディスク１の辞書のコンテンツを勉強に使用する場合、当該コンテンツを数年間使用できれば十分であるためである。また、ほとんどの辞書は１年から数年で改訂されるので、同じコンテンツを長い期間保持しておく必要がないためである。また、価格が安ければ、数年後に改訂版も購入し易い。
【０１２９】
さらに、期間が限定されている場合には、期間が限定されていない場合に比べ、同じ端末で利用される可能性が高くなり、友人同士でユーザ辞書データを共有することがより一層想定される。
【０１３０】
また、電子機器２は、以下のような構成であるといえる。
電子機器２は、ディスク１に記録された、電子化された辞書のコンテンツにアクセス可能な電子機器であって、自機器に備えられた記憶部（２４，２５）から、自機器を識別するための機器ＩＤと、自機器の利用者を識別するためのデータとして記録されたユーザ名とを読み出す制御部２９を備える。
【０１３１】
また、電子機器２は、上記読み出した機器ＩＤに基づいて、コンテンツを再生するためのディスク１に記録された複数のアプリケーションソフトのなかから、自機器で実行可能なアプリケーションソフトウェアを特定する起動アプリ選択部３１と、当該選択したアプリケーションソフトを起動するアプリケーションソフト展開／実行部３５とを備える。
【０１３２】
さらに、電子機器２は、上記起動したアプリケーションソフトを用いて上記コンテンツを再生している際に、上記辞書の見出し語が表示されるとともに当該見出し語をしおりとして登録するための指示を受け付けた場合、前記見出し語を特定するためのしおりデータを生成するユーザ辞書データ登録処理部３３と、当該生成したしおりデータを上記ユーザ名と対応付けて、ディスク１へ記録するデータ読取／書込部２８とを備える。
【０１３３】
このような構成を電子機器２が備えるため、ディスク１に記録されたアプリケーションソフトの中から自機器で利用可能なアプリケーションソフトを実行することができる。また、当該構成により、ディスク１へユーザ名を対応付けたしおりデータを記録することができる。
【０１３４】
〔実施の形態２〕
本実施の形態に係る、記録媒体と電子装置とについて、図１８から図２４に基づいて説明すると以下のとおりである。なお、実施の形態１に示した部材と同一の部材については、同一の番号を付し、当該部材の説明を省略する。
【０１３５】
図１８は、記録媒体としてのディスク１’と、少なくとも当該ディスクに記録されたデータを読み取るための各電子機器（４，５，６）とを示した図である。
【０１３６】
ディスク１’は、ディスク１と同じ種類の媒体である。ここでも、実施の形態１と同様に、ディスク１’がブルーレイディスクであるとして説明を行う。
【０１３７】
各電子機器（４，５，６）は、ディスク１’に記録された情報を、自機器の表示部あるいは自機器に接続された外部ディスプレイに表示できる機器である。例えば、これらの電子機器としては、例えば、パーソナルコンピュータや電子辞書の他、デジタルカメラ、ＤＶＤレコーダ、ＰＤＡ等が挙げられる。以下では、電子機器４をＰＤＡ、電子機器５を外部ディスプレイ付きＤＶＤレコーダ、電子機器６をデジタルカメラとして説明する。
【０１３８】
図１９は、ディスク１’に記憶されているデータを説明するための図である。ここで、図１９（ａ）は、ディスク１’の記録層を説明するための図であり、図１９（ｂ）は、ディスク１’の各記録層に記録されるデータ示した図である。
【０１３９】
ディスク１’は、図１９（ａ）に示すとおり、第０記録層１００、第１記録層１０１、第２記録層１０２、第３記録層１０３、第４記録層１０４、…、第ｎ記録層１０５といった複数の記録層を備えている。
【０１４０】
第０記録層１００には、図１９（ｂ）に示すとおり、管理テーブルが記録されている。なお、管理テーブルの詳細については、後述する。
【０１４１】
第１記録層１０１には、写真等の静止画のデータが記録されている。また、第２記録層１０２には、動画のデータが記録されている。例えば、第２記録層１０２には、DVD-Video、DVD-VR、AVCHD、AVCRECなどビデオ専用アプリケーションフォーマットで記録したもの、あるいは、ビデオ専用フォーマットを用いずにMPEGファイルやAVIファイルを直接記録したものなどのデジタルビデオ映像のデータが記録される。
【０１４２】
第３記録層１０３には、音楽のデータが記録されている。また、第４記録層１０４には、書籍の内容を電子化した電子書籍のデータ、および電子化された辞書のデータが記録されている。
【０１４３】
ここで、上述した、静止画のデータ、動画のデータ、電子書籍のデータ、および辞書のデータが、予めディスク１’に記録されており、これらのデータが記録された各記録層へのデータの書き込みを許可しない構成の場合には、第１〜第ｎ記録層を、ＲＯＭ層としておけばよい。なお、第０記録層１００については、データの書き込みを受け付ける必要があるので、ＲＡＭ層とする。一方、静止画のデータ、動画のデータ、および音楽のデータについてのディスク１’への書き込みを許可する場合には、第１記録層１０１、第２記録層１０２、および第３記録層１０３はＲＡＭ層としておけばよい。
【０１４４】
なお、上記においては、説明の便宜上、静止画のデータと、動画のデータと、音楽のデータと、電子書籍のデータおよび辞書のデータとが異なる記録層に分かれて記録されている例を挙げているが、これに限定されるものではなく、１つの記録層に複数の種類のデータが記録される構成であってもよい。また、上記管理テーブルが、第１記録層１０１、第２記録層１０２、第３記録層１０３、および第４記録層１０４等の他の記録層と同じ層に記録される構成であってもよい。
【０１４５】
図２０は、電子機器４の概略構成を示した機能ブロック図である。
電子機器４は、図２０に示すとおり、入力部２１と、表示部２２と、音声出力部２３と、機器ＩＤ記憶部２４と、ユーザデータ記憶部２５と、ユーザ辞書データ一時記憶部２６と、処理データ一時記憶部２７と、データ読取／書込部２８と、制御部２９’とを備えている。
【０１４６】
制御部２９’は、アクセスエリア選択部３２、ユーザ辞書データ登録処理部３３、およびユーザ辞書データマージ部３４とを備えている。なお、制御部２９’および制御部２９’内の各部は機能ブロックであり、これらのブロックにおける処理は、後述するＣＰＵにより実行されるソフトウェアによって実現される。
【０１４７】
アクセスエリア選択部３２は、ディスク１’のアクセスするエリアを選択する。なお、エリアの選択の詳細については後述する。
【０１４８】
図２１は、ディスク１’の第１記録層１０１に記録された管理テーブルの１つである機器管理テーブルの構成を示した図である。同図に示すとおり、機器管理テーブルにおいては、機器ＩＤと解除ＩＤとが対応付けられて記憶されている。ここで、解除ＩＤとは、記録層（記録エリア）へのアクセスを許可するコードである。
【０１４９】
ここで、電子機器４は、機器ＩＤとして「１」を記憶しており、電子機器５は、機器ＩＤとして「２」を記憶しており、電子機器６は、機器ＩＤとして「３」を記憶しているものとして、以下説明する。
【０１５０】
また、以下では、第１記録層１０１の記録エリアを第１エリアと、第２記録層１０２の記録エリアを第２エリアと、第３記録層１０３の記録エリアを第３エリアと、第４記録層尾１０４の記録エリアを第４エリアと、第ｎ記録層１０５の記録エリアを第ｎ記録エリアと称する。
【０１５１】
図２２は、ディスク１’の第１記録層１０１に記録された管理テーブルの１つであるフラグ状態管理テーブルの構成を示した図である。同図に示すとおり、フラグ状態管理テーブルにおいては、図２１に示した各解除ＩＤに対する各エリアへのアクセスの許可を状態が示されている。
【０１５２】
例えば解除ＩＤが「１」の場合、図２２に示すとおり、第１エリア許可フラグのみが「Ａｃｔｉｖｅ」になっている。また、解除ＩＤが「２」の場合、第２エリア許可フラグと第３エリア許可フラグとが、「Ａｃｔｉｖｅ」になっている。このように、図２２においては、各解除ＩＤに関し、エリア許可フラグの状態（「Ａｃｔｉｖｅ」または「非Ａｃｔｉｖｅ」）が対応付けされている。
【０１５３】
図２３は、ディスク１’の第１記録層１０１に記録された管理テーブルの１つであるエリアポインタ管理テーブルを示した図である。このエリアポインタ管理テーブルでは、エリア許可フラグとエリアポインタ情報とが対応付けされている。
【０１５４】
例えば、解除ＩＤが「１」の場合（つまり、電子機器４の場合）、図２２において第１エリア許可フラグが「Ａｃｔｉｖｅ」であるため、第１エリア許可フラグに対応付けられた第１エリアへのポインタ情報を、電子機器４がエリアポインタ管理テーブルより取得する。これにより、電子機器４は、第１エリアにアクセスすることができる。言い換えれば、解除ＩＤが「１」の場合、第１エリアのみにアクセスが許可されることになる。
【０１５５】
また、電子機器５については、第２エリアへのポインタ情報と第３エリアへのポインタ情報とを取得することができる。このため、電子機器５については。第２エリアおよび第３エリアのみに、アクセスが許可されることになる。言い換えれば、解除ＩＤが「１」の場合、第１エリアのみにアクセスが許可されることになる。
【０１５６】
なお、第０記録層１００へのアクセスについては、機器ＩＤに関わらず、つまり解除ＩＤに関わらず許可されているものとする。
【０１５７】
以上のように、電子機器が記憶してる機器ＩＤに応じて、ディスク１’におけるアクセス可能なエリアが決まる。
【０１５８】
図２４は、電子機器４のドライブにディスク１’が挿入されてから、電子機器４がディスク１’のエリアにアクセスするまでの処理のフローを示したフローチャートである。
【０１５９】
まず、制御部２９が、ディスク１’がドライブに挿入されたか否かを判断する（Ｓ３１）。ステップＳ３１において挿入されたと判断された場合には、アクセスエリア選択部３２が、機器ＩＤ記憶部２４から機器ＩＤを読み出す（Ｓ３２）。一方、ステップＳ３１において挿入されたと判断されなかった場合には、再度、ステップＳ３１に戻る。
【０１６０】
ステップＳ３２の後は、アクセスエリア選択部３２が、読み出した機器ＩＤと、図２１に示した機器管理テーブルの機器ＩＤとを順次比較し、比較結果を処理データ一時記憶部２７に記憶する（Ｓ３３）。そして、ステップＳ３３の後は、上記比較結果に基づき、読み出した機器ＩＤに一致した機器ＩＤが存在するか否かを、アクセスエリアリ選択部３２が判断する（Ｓ３４）。
【０１６１】
ステップＳ３４において一致した機器ＩＤが存在すると判断された場合には、当該一致した機器ＩＤに対応付けられた解除ＩＤを、アクセスエリア選択部３２が機器管理テーブルから読み出す（Ｓ３５）。一方、ステップＳ３４において一致した機器ＩＤが存在すると判断されなかった場合には、処理を終了する。
【０１６２】
ステップＳ３５の後は、アクセスエリア選択部３２が、読み出した解除ＩＤに対応する各エリア許可フラグの状態をフラグ状態管理テーブルから読み出す（Ｓ３６）。そして、ステップＳ３６の後は、アクセスエリア選択部３２が、読み出した各エリア許可フラグの状態に基づき、エリアポインタ管理テーブルからエリアポインタ情報を読み出す（Ｓ３７）。そして、ステップＳ３７の後は、電子機器４は、読み出したエリアポインタ情報に基づき、ディスクのエリアへアクセスする（Ｓ３８）。
【０１６３】
以上により、一連の処理が終了する。
ところで、本実施の形態においても、実施の形態１で説明したように、ユーザデータ記憶部２５に記憶されたユーザ名と、辞書のコンテンツの種別と、しおりデータとを対応付けてユーザ辞書データとしてディスク１’へ登録させることも可能である。
【０１６４】
このような対応付けを行っている場合には、ディスク１’は、以下のような構成であるといえる。
【０１６５】
ディスク１’は、異なる種別のコンテンツをデジタルデータとして記録した記録媒体であって、少なくとも１以上の種別のコンテンツが含まれた記録領域を複数含み、自媒体にアクセス可能な電子機器４がアクセス可能な記憶領域を示す解除ＩＤが、電子機器４の機器ＩＤに対応付けて記録されている。
【０１６６】
また、ディスク１’は、上記コンテンツとして電子化された辞書を含み、当該辞書のコンテンツが記録された記録領域にアクセスを許可された電子機器４によって生成された、上記コンテンツに含まれる見出し語を特定するためのしおりデータと、しおりデータを生成した電子機器４のユーザを識別するユーザ名とが対応付けられたユーザ辞書データが、上記コンテンツが記録された記録領域とは異なる記録領域に記憶されている。
【０１６７】
さらに、ディスク１’は、電子機器４が自媒体にアクセスする場合には、機器ＩＤと上記解除ＩＤとに基づいて、アクセスを許可する記録領域が制限され、上記ユーザ辞書データは、少なくとも、上記辞書のコンテンツが記録された記録領域にアクセスを許可された電子機器であれば扱うことができるファイルフォーマットで記録されている。
【０１６８】
このような構成により、電子機器に応じて、利用可能なコンテンツが定められる。また、辞書のコンテンツが記録された記録領域にアクセスを許可された電子機器であれば、しおりデータを利用することができる。さらに、ユーザ辞書データを参照することにより、しおりデータが誰が所有する機器によって生成されたのかが判断できる。
【０１６９】
また、本実施の形態においても、実施の形態１で説明したような、ユーザ辞書データマージ部３４を用いたマージ処理を行うことも可能である。
【０１７０】
また、電子機器４は、以下のような構成であるといえる。
電子機器４は、ディスク１’に記録された、電子化された辞書のコンテンツにアクセス可能な電子機器であって、自機器に備えられた記憶部（２４，２５）から、自機器を識別するための機器ＩＤと、自機器の利用者を識別するためのデータとして記録されたユーザ名とを読み出す制御部２９’を備える。
【０１７１】
また、電子機器４は、ディスク１’が、上記辞書のコンテンツ以外の種別のコンテンツをデジタルデータとして記録するとともに、少なくとも１以上の種別のコンテンツが含まれた記録領域を複数含んでいる場合、上記読み出した機器ＩＤに基づいて、上記複数の記録領域のうちアクセスが可能な記録領域を選択するアクセスエリア選択部３２を備える。また、制御部２９’は、当該選択した記録領域に含まれるコンテンツを再生する。
【０１７２】
そして、電子機器４は、上記辞書のコンテンツの再生を行っている際に、当該辞書の見出し語が表示されるとともに当該見出し語をしおりとして登録するための指示を受け付けた場合、前記見出し語を特定するためのしおりデータを生成するユーザ辞書データ登録処理部３３と、当該生成したしおりデータを上記ユーザ名と対応付けて、ディスク１’へ記録するデータ読取／書込部２８とを備える。
【０１７３】
このような構成を電子機器４が備えるため、ディスク１’の記録領域のうちアクセスが許可された記憶領域に記憶されたコンテンツの再生が可能となる。また、当該構成により、ディスク１’へユーザ名を対応付けたしおりデータを記録することができる。
【０１７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１７５】
【図１】記録媒体としてのディスクと、当該ディスクに記録されたデータを読み取るための各電子機器とを示した図である。
【図２】ディスクに記憶されているデータを説明するための図である。
【図３】電子機器の概略構成を示した機能ブロック図である。
【図４】電子機器として機能するコンピュータシステム１００のハードウェア構成を表わすブロック図である。
【図５】ディスクの第１記録層に記録された管理テーブルのうち、起動ソフト管理テーブルの構成を示した図である。
【図６】ディスクを電子機器のドライブに挿入してから、アプリケーションソフトを起動するまでの電子機器における処理の流れを示したフローチャートである。
【図７】ユーザ辞書データをディクスへ登録する際の電子機器における処理を示したフローチャートである。
【図８】図７に示したフローにより生成されたユーザ辞書データであって、ディスクの第１記録層において管理テーブルの１つのテーブルとして記録されたユーザ辞書データを示した図である。
【図９】ディスクに含まれる複数の辞書のコンテンツのうち、ユーザＡが利用可能なコンテンツ種別を示した図である。
【図１０】ディスクと同じ構成を有する他のディスクに含まれる複数の辞書のコンテンツのうち、ユーザＢが利用可能なコンテンツ種別を示した図である。
【図１１】ユーザＡが生成したしおりデータをユーザ名と辞書のコンテンツ種別と対応付けてディスクへ登録した後の、ユーザ辞書データを示した図である。
【図１２】ユーザＢが生成したしおりデータをユーザ名と辞書のコンテンツ種別と対応付けて他のディスクへ登録した後の、ユーザ辞書データを示した図である。
【図１３】ユーザＡのユーザ辞書データとユーザＢのユーザ辞書データとをマージする処理のフローを示したフローチャートである。
【図１４】併合処理後のユーザＡのディスクに記録されたユーザ辞書データを示した図である。
【図１５】併合処理後のユーザＢのディスクに記録されたユーザ辞書データを示した図である。
【図１６】図１４に示したユーザＡのディスクに記録されたユーザ辞書データを、電子機器の表示部において「しおりリスト」として表示した場合の表示画面を示した図である。
【図１７】図１５に示したユーザＢのディスクに記録されたユーザ辞書データを、電子機器の表示部において「しおりリスト」として表示した場合の表示画面を示した図である。
【図１８】他の実施の形態に係る、記録媒体としての他のディスクと、当該ディスクに記録されたデータを読み取るための各電子機器とを示した図である。
【図１９】他のディスクに記憶されているデータを説明するための図である。
【図２０】電子機器の概略構成を示した機能ブロック図である。
【図２１】他のディスクの第１記録層に記録された管理テーブルの１つである機器管理テーブルの構成を示した図である。
【図２２】他のディスクの第１記録層に記録された管理テーブルの１つであるフラグ状態管理テーブルの構成を示した図である。
【図２３】他のディスクの第１記録層に記録された管理テーブルの１つであるエリアポインタ管理テーブルを示した図である。
【図２４】電子機器のドライブに他のディスクが挿入されてから、電子機器が当該他のディスクのエリアにアクセスするまでの処理のフローを示したフローチャートである。
【符号の説明】
【０１７６】
１，１’  ディスク、２，３，４，５，６  電子機器、１１  第１記録層、１２  第２記録層、１３  第３記録層、１４  第４記録層、２４  機器ＩＤ記憶部、２５  ユーザデータ記憶部、２６  ユーザ辞書データ一時記憶部、２８  データ読取／書込部、２９，２９’  制御部、３１  起動アプリ選択部、３２  アクセスエリア選択部、３３  ユーザ辞書データ登録処理部、３４  ユーザ辞書データマージ部、３５  アプリケーションソフト展開／実行部、１００  第０記録層、１０１  第１記録層、１０２  第２記録層、１０３  第３記録層、１０４  第４記録層、１０５  第ｎ記録層。
【図１】
2010033677.tif 000003
【図２】
2010033677.tif 000004
【図３】
2010033677.tif 000005
【図４】
2010033677.tif 000006
【図５】
2010033677.tif 000007
【図６】
2010033677.tif 000008
【図７】
2010033677.tif 000009
【図８】
2010033677.tif 000010
【図９】
2010033677.tif 000011
【図１０】
2010033677.tif 000012
【図１１】
2010033677.tif 000013
【図１２】
2010033677.tif 000014
【図１３】
2010033677.tif 000015
【図１４】
2010033677.tif 000016
【図１５】
2010033677.tif 000017
【図１６】
2010033677.tif 000018
【図１７】
2010033677.tif 000019
【図１８】
2010033677.tif 000020
【図１９】
2010033677.tif 000021
【図２０】
2010033677.tif 000022
【図２１】
2010033677.tif 000023
【図２２】
2010033677.tif 000024
【図２３】
2010033677.tif 000025
【図２４】
2010033677.tif 000026